(57)【特許請求の範囲】
【請求項１】
光ファイバー（１）を取付け面に固定する光ファイバー用クランプ（３）であって、
前記光ファイバー用クランプ（３）は、
対向する側面を貫通する切込み（４ａ）を有するブロック状の弾性体からなる把持部（４）と、
該把持部（４）の他の対向する側面及び底面を外側から保持すると共に、前記光ファイバー用クランプ同士（３1、３2）を連結する連結部（６）と、前記取付け面への取付け部（７）とを備えるコ字状の枠（５）と、
から構成され、
前記連結部（６）は、
前記枠（５）の一方の側壁の少なくとも一部から外側へ突出し底面に平行な断面がそれぞれ略Ｔ字状及び略Ｌ字状である２つの係合部（６1ａ、６1ｅ）からなると共に、該略Ｔ字状の係合部（６1ａ）の一方の端部（６1ｃ）を、先端が徐々に内側へ向かう傾斜面を外面に形成しつつ該略Ｌ字状の係合部（６1ｅ）までの中間位置手前まで延在した第１の連結部（６1）と、
前記枠の他方の側壁から外側へ突出し、該第１の連結部（６1）を該側壁に平行に延びる仮想軸の周りに１８０°回転した形状を有する第２の連結部（６2）と、
からなり、
一方の前記光ファイバー用クランプ（３1）における第１の連結部（６1）の傾斜面と、他方の前記光ファイバー用クランプ（３2）における第２の連結部（６2）の傾斜面とを押しつけ合わせて前記Ｔ字状の係合部（６1ａ、６2ａ）の他方の端部（６1ｄ、６2ｄ）を梃子の作用により外側へ移行させつつ、該傾斜面に沿って該光ファイバー用クランプ同士（３1、３2）を互いに反対方向へ移動させて該端部（６1ｄ、６2ｄ）を前記略Ｌ字状の係合部（６2ｅ、６1ｅ）に係合させる光ファイバー用クランプ。
【請求項２】
前記弾性体が、ゴム弾性体又は樹脂エラストマーからなる発泡体である請求項１に記載の光ファイバー用クランプ。
【請求項３】
前記取付け部（７）が、前記枠の底面から内側へ向けて形成されたネジ止め用スクリュータップからなる機械的手段、又は該底面に塗布された粘性体からなる粘着手段である請求項１又は２に記載の光ファイバー用クランプ。
【発明の詳細な説明】
【０００１】
【発明が属する技術分野】
本発明は、光ファイバー用クランプに関するものであり、更に詳細には、光通信機器に光ファイバーを接続する際に、配線盤などの取り付け面上に配線する際に使用する光ファイバー用クランプに関するものである。
【０００２】
【従来の技術】
光ファイバー１の一般的構造は、図８に示すとおり、中心に光を通すコア１ａ、該コア１ａの周囲を取り巻くクラッド１ｂ、及び外皮１ｃからなり、クラッド１ｂは、コア１ａの光屈折率が小さい素材を使用し、クラッド１ｂ側に入射する光をコア１ａ内に反射させるようにしており、また、コア１ａ及びクラッド１ｂには一般にシリカなどの光学ガラスが使用され、また外皮１ｃには、１層又は複数層の軟質樹脂又はゴム、例えばシリコーンゴム、ポリエチレン、ポリウレタンなどが使用され、クラッド３の直径が一般に１００〜１５０μｍ、外皮１ｃの直径が０．８〜０．９ｍｍ程度であることは周知である。
【０００３】
【発明が解決しようとする課題】
ところで、光ファイバー、特にガラス系の光ファイバーは、電線のように自由に屈曲させることができないため、一定の曲率以上に曲げることができない。そこで、光通信機器の周囲には複数の光ファイバーが緩いカーブを描いて乱雑に配置されるという問題がある。
【０００４】
そこで、配線盤上の光ファイバーの配線が乱雑にならないように、従来から図９（Ａ）に示すような弾性材で作られたクランプ２が使用されている。クランプ２は、開環状に形成され、且つ配線盤などの取り付け面（図示せず）に固定可能に形成した保持部２ａと、先端の取り付けた球部２ｂとの間がいすかの嘴状に湾曲した係合部２ｃを形成したものであり、例えば、開環状態の保持部２ａに、光ファイバー１を配置し、図９（Ｂ）に示すように、係合部２ｃを互いに絡ませて保持部２ａの開環部を閉じて使用する。
【０００５】
前記したように光ファイバー１は１ｍｍ以下の細い線であり、操作性などの理由で把持させることが困難なためルーズに保持され、光ファイバーを固定できないという問題がある。
本発明は、以上説明した問題に着目して成されたものであり、構造が簡単で、複数の光ファイバーを保持することができ、しかも配線盤に光ファイバーを配線する際の操作性に優れた光ファイバー用クランプを提供することを目的としている。
【０００６】
【課題を解決するための手段】
以上の目的を達成するための本発明の光ファイバー用クランプは、光ファイバー（１）を取付け面に固定する光ファイバー用クランプ（３）であって、前記光ファイバー用クランプ（３）は、対向する側面を貫通する切込み（４ａ）を有するブロック状の弾性体からなる把持部（４）と、該把持部（４）の他の対向する側面及び底面を外側から保持すると共に、前記光ファイバー用クランプ同士（３1、３2）を連結する連結部（６）と、前記取付け面への取付け部（７）とを備えるコ字状の枠（５）とから構成され、前記連結部（６）は、前記枠（５）の一方の側壁の少なくとも一部から外側へ突出し底面に平行な断面がそれぞれ略Ｔ字状及び略Ｌ字状である２つの係合部（６1ａ、６1ｅ）からなると共に、該略Ｔ字状の係合部（６1ａ）の一方の端部（６1ｃ）を、先端が徐々に内側へ向かう傾斜面を外面に形成しつつ該略Ｌ字状の係合部（６1ｅ）までの中間位置手前まで延在した第１の連結部（６1）と、前記枠の他方の側壁から外側へ突出し、該第１の連結部（６1）を該側壁に平行に延びる仮想軸の周りに１８０°回転した形状を有する第２の連結部（６2）とからなり、一方の前記光ファイバー用クランプ（３1）における第１の連結部（６1）の傾斜面と、他方の前記光ファイバー用クランプ（３2）における第２の連結部（６2）の傾斜面とを押しつけ合わせて前記Ｔ字状の係合部（６1ａ、６2ａ）の他方の端部（６1ｄ、６2ｄ）を梃子の作用により外側へ移行させつつ、該傾斜面に沿って該光ファイバー用クランプ同士（３1、３2）を互いに反対方向へ移動させて該端部（６1ｄ、６2ｄ）を前記略Ｌ字状の係合部（６2ｅ、６1ｅ）に係合させるようにしたものである。
【０００７】
前記弾性体には特に限定はないが、例えば合成ゴムなどのゴム弾性材、ポリエチレンその他の軟質樹脂などの発泡体を使用することができる。発泡体を使用すると、材料の選定の外、発泡密度、スリットの幅などを調整することにより、光ファイバーを挿入する際の作業性及び、挿入した後の把持力などの調整に有利である。
【０００８】
前記把持部に枠を取り付け、該枠を、前記スリットに光ファイバーの挿入を妨げないように形成し、該枠に前記取付け部を設けることができる。なお、前記スリットに光ファイバーの挿入を妨げない手段としては、例えば３方が開放されたコ字状の枠を形成するとよい。このようにすると、複数のクランプを互いに連結させたり、前記把持力の補強、前記取り付け部の形成などに役立てることができる。
【０００９】
本発明クランプを配線盤などに取り付け手段には特に限定はないが、機械的手段、接着手段、粘着手段などを用いることができる。そして、前記枠を使用する場合には，ネジ止め用スクリュータップなどの手段を採用することができる。前記枠に連結部を設け、別のクランプと連結可能に形成することができる。
【００１０】
【発明の実施の形態】
以下添付の図面を参照し、一実施の形態を示すことにより本発明を具体的に説明する。
本実施の形態のクランプ（光ファイバー用クランプ）３は、図１に示すとおり、把持部４及び枠５からなり、前記把持部４は、シリコーンゴム、ポリエチレン、ポリウレタンなどの発泡体から成り、把持部４を横断して所定深さに達する切り込みからなるスリット４ａを設け、且つ上端部をＶカット４ｂとし、光ファイバー１の挿入を容易にした。また前記枠５は、光ファイバー１のスリット４ａへの挿通の邪魔にならないようにコ字状に形成した。
【００１１】
本実施の形態の把持部４は、図２（Ａ）,(Ｂ）に示すように左右２つのブロックで形成し、外見上はスリット４ａが下端部に達するように見えるが、実質的には、両側の側面４ｄを横断し、且つ下端部に設けたスクリュータップ（図３参照）からなる取付け部７を嵌入する円筒状窪み４ｃまでの切り込みからなるものである。該把持部４の使用材料、発泡密度、形状及び大きさ、及びスリット４ａの幅などを調整することにより、光ファイバー１の挿入の際の作業性と、配線条件から生じる光ファイバーの反力に抗することができる把持力を得ることができる。
【００１２】
枠５は、例えばＰＢＴ（ポリブチルテレフタレート）、ポリカーボネート、ポリプロピレン、ＡＢＳ（アクリロニトリル−ブタジエン−スチレン共重合体）などの樹脂による射出成形体であり、図３（Ａ）,(Ｂ）に示すとおり、内側面縦方向にフィン５ａを設け、把持部４を枠５に押し込み状に挿入して係合させ、把持部４が枠５から容易に脱出しないようにした。
【００１３】
本実施の形態の取付け部７は、枠５の底部５ｂの内側に向けて突出させてスクリュータップにより形成し、配線基板側からネジ止めしたり、把持部４のスリット４ａの間からネジを差し込み固定するようにした。なお、底部５ｂを平坦に形成し、粘着手段により取り付け面に固定することもできる。なお図３（Ａ），（Ｂ）に示す符号７ａは補強用リブである。
【００１４】
本実施の形態の連結部６は、複数のクランプ３を連結できるようにしたものであり、図３（Ａ）,(Ｂ）、図４及び図５に示すとおり、枠５の両側壁５ｃの外側縦方向にフィン状のガイド６ａを突出し、これに係合部６ｃ，６ｄを、また前記同様フィン状に突出させたガイド６ｂに係合部６ｅを、それぞれ取り付けたものである。
【００１５】
連結部６の連結の仕方を図６によって説明する。図６において、サフィックス１及び２によって、それぞれ連結する２つのクランプを識別する。図６において、係合部61ｃと係合部62ｃとが先端部イを突き合わせ状に弾性係合するものである。即ち、図６にΔで表した部分は、枠５の幅方向中心線より僅かに突出した部分であり、したがって互いに連結部６の関係部分が弾性変形することにより突き合わせ状に係合させる。
【００１６】
また、係合部61ｄは係合部62ｅと、係合部61ｅは係合部62ｄとそれぞれ噛み合わせ状に係合し、クランプ３1,３2 の連結方向に離脱することを防止すると共に、ガイド６ａに深さδ（図５，６）の窪みロ（図５参照）を設け、係合部61ｃ及び係合部62ｃの先端部が、窪みロに嵌入させてガイド６ａ，６ｂの長手方向の離脱を防止した。
【００１７】
以上のように連結部６を形成したために、クランプ３1 のガイド６ａとクランプ３2 のガイド６ｂとを滑らせて連結させるには、係合部61ｃ，62ｃによってガイド６ａが僅かに弾性変形する必要があり、ある程度力を入れて押し込むするようにする必要がある。
【００１８】
以上の説明したように形成した本実施の形態のクランプ３の使用状態の一例を図７によって説明る。図７は、光通信機器８に光ファイバー挿入端子８ａ〜８ｄに、光ファイバー導入口Ａから導入した光ファイバー１ｄ〜１ｇを配線する場合について示したものである。図７に示すよう、予め光ファイバー１ｄ〜１ｇの配線経路にクランプ３1,３2 を配置・固定し、それぞれのスリット41ａ，42ａに、光ファイバー１ｄ〜１ｇを挿入・把持させることにより、配線経路が無理なく配線することができる。なお図７に示す符号１ｈは光ファイバーの先端部に取り付けたコネクター、１ｊは光ファイバーコードである。
【００１９】
これに対し、図９で示した従来のクランプ２のように光ファイバーを把持することなく取り付けた場合には、単に光ファイバーの通過点をルーズに規定するのみであるから、配線経路が光ファイバーの弾性などに依存したものとなり、単に配線が乱雑になるばかりでなく、施工が適当でないと応力集中箇所が発生し、例えば光ファイバーの破断などが起こるおそれを生じる。
【００２０】
前記実施の形態の変形として、把持部４を１つのブロック体によって形成し、スリット４ａを把持部４の中間まで形成することもできる。
別の実施の形態として、把持部４のみによってクランプ３としたものである。即ち、図２（Ａ）,(Ｂ）に示した把持部４と同様形状の弾性材ブロック（例えばシリコーンゴム発泡体）を用い、所定深さまでスリット４ａを形成し、底部４ｅ（図２（Ｂ））に粘着剤を塗布したものである。このように形成したクランプ３も、前記実施の形態のクランプと同様に光ファイバー１を好適に保持させることができる。
【００２１】
【発明の効果】
以上説明したように本発明の光ファイバー用クランプは、単にスリットに挿入するのみで光ファイバーを装着することができ、したがって取り外しも容易であり、また装着した光ファイバーを把持・固定できるので、無理のない配線計画であれば、計画に一致させた経路で配線することができる。また、配線盤などの取り付け面への固定、クランプ相互の連結が容易に行えるなどの効果を得ることができる。
【図面の簡単な説明】
【図１】本発明の一実施の形態による光ファイバー用クランプの概要及び使用方法を説明するための斜視図である。
【図２】（Ａ）は図１に示す把持部２の平面図であり、（Ｂ）は一部破断して示した側面図である。
【図３】（Ａ）は図１に示した枠の平面図であり、（Ｂ）は一部破断して示した側面図である。
【図４】図３のIV−IV線矢視図である。
【図５】図３のＶ−Ｖ線矢視断面図である。
【図６】図３、図４に示す連結部の使用状態を示す断面図である。
【図７】図１に示すクランプを用いた光ファイバーの配線の様子の一例を示す斜視図である。
【図８】従来から使用される光ファイバーの構造の概要を一部破断して示した斜視図である。
【図９】従来から使用される光ファイバー用クランプの一例であって、（Ａ）は使用前の状態を示す斜視図であり、（Ｂ）は使用中の状態を示す斜視図である。
【符号の説明】
１    光ファイバー                １ｄ  光ファイバー
１ｅ  光ファイバー                １ｆ  光ファイバー
１ｇ  光ファイバー                ３    クランプ
３1   クランプ                    ３2   クランプ
４    把持部                      ４ａ  スリット
41ａ  スリット                    42ａ  スリット
５    枠                          ５ａ  フィン
５ｂ  底部                        ５ｃ  側壁
６    連結部                      ６ａ  ガイド
６ｂ  ガイド                      ６ｃ
６ｄ  係合部                      ６ｅ  係合部
61ｃ  係合部                      61ｄ  係合部
62ｅ  係合部                      62ｃ  係合部
62ｄ  係合部                      61ｅ  係合部
７    取付け部                    ８    光通信機器
【図１】
0004067187.tif 000002
【図２】
0004067187.tif 000003
【図３】
0004067187.tif 000004
【図４】
0004067187.tif 000005
【図５】
0004067187.tif 000006
【図６】
0004067187.tif 000007
【図７】
0004067187.tif 000008
【図８】
0004067187.tif 000009
【図９】
0004067187.tif 000010